(57)【要約】  本発明は，光記録担体上で半径方向のトラッキングを行う光学システムに関する。この光学システムは，同担体上で読取り可能な効果（ピット，マーク等）としての情報を読取り及び/又は記録するための主ビームと，半径方向のトラッキングのために使われる少なくとも二つの補助ビームとを照射することが出来る可動型の照射装置を含む。当該トラッキングは，主スポットに対して非対称に配置されている複数の補助スポットから反射された照射光により行われる。この光記録担体は，一つ以上の螺旋のトラック中に前記読取り可能な効果を含み，この一つ以上の螺旋は，一つ以上のガードバンドによって区切られている。第1及び第2のガードバンド中に位置している第1及び第2の補助ビームの反射光により半径方向のトラッキングを行うよう，この光学システムは適応されている。
2008542961.tif 000002
【特許請求の範囲】
【請求項１】
光記録担体上に光学的に読取り可能な効果を記録するため及び/又は再生するための光学システムであって，当該光学システムは，
‐  前記光記録担体中で読取り可能な効果として情報を読取るため，及び/又は前記光記録担体上に読取り可能な効果として情報を記録するための主ビーム及びこれに対応する主スポットと，
半径方向トラッキングに使用可能な，第1の補助ビームと第2の補助ビームとを有する少なくとも二つの補助ビーム及びこれに対応する補助スポットとを照射できる可動型の光照射装置，及び
‐  前記光記録担体から反射された照射光を検知することができる光検知手段を有し，
前記光記録担体は一つ以上の螺旋のトラック中に読取り可能な効果を有するか，又は前記光記録担体は前記効果を記録し，前記一つ以上の螺旋はガードバンドによって区切られており，
当該光学システムは補助スポットから反射された照射光によってトラッキングを行い，この補助スポットは主スポットに対して非対称に配置されている光学システム。
【請求項２】
前記光照射装置が少なくとも幾つかの高次のビームを抑圧する回折格子を有する，請求項1に記載の光学システム。
【請求項３】
第1の補助スポットと第2の補助スポットとが，前記光照射装置の角位置を制御することにより第1のガードバンド中と第2のガードバンド中とに配置されており，このガードバンドはお互いに複数の螺旋によって分離されている，請求項1に記載の光学システム。
【請求項４】
第2の補助スポットと前記主スポットとの間の分離距離が，第1の補助スポットと前記主スポットとの間の分離距離の整数倍に略等しい，請求項1に記載の光学システム。
【請求項５】
前記整数値は，螺旋中のトラックの本数に等しいか，又は螺旋中のトラックの本数の整数倍に等しい，請求項4に記載の光学システム。
【請求項６】
第1の補助スポットが第1のガードバンドに配置され，第2の補助スポットが第2のガードバンドに配置され，これら補助スポットに対する前記主スポットの位置が一定に保持されて所与のトラックを追随する間，これら補助スポットはお互いに独立してガードバンドを追随する，第1の補助ビーム及び第2の補助ビームの反射された照射光によって半径方向のトラッキングを行う，請求項1に記載の光学システム。
【請求項７】
光記録担体上に光学的に読取り可能な効果を記録する，及び/又は再生するための光学システムを動作させる方法であって，当該システムは，
‐  光記録担体中で読取り可能な効果として情報を読取るため，及び/又は前記光記録担体上に読取り可能な効果として情報を記録するための主ビーム及びこれに対応する主スポットと，
半径方向トラッキングに使用可能な，第1の補助ビームと第2の補助ビームとを有する少なくとも二つの補助ビーム及びこれに対応する補助スポットとを照射できる可動型の光照射装置，及び
‐  前記光記録担体から反射された照射光を検知することができる光検知手段を有し，
前記光記録担体は一つ以上の螺旋のトラック中に読取り可能な効果を有するか，又は前記光記録担体は前記効果を記録し，前記一つ以上の螺旋はガードバンドによって区切られており，
使用の際は，前記主スポットに対して非対称に配置されている補助スポットから反射された照射光によってトラッキングが行われる方法。
【請求項８】
データ格納手段を持つ，少なくとも一つのコンピュータを有するコンピュータシステムが，請求項1に記載の光学システムを制御することを可能にするコンピュータプログラム。
【請求項９】
主スポットに対して非対称に配置されている補助スポットから反射された照射光によってトラッキングを行う可動型の光照射装置の使用。
【発明の詳細な説明】
【技術分野】
【０００１】
本発明は，光記録担体上に光学的に読取り可能な効果を記録及び/又は再生し，同光記録担体上で半径方向のトラッキングを行う光学システムに関する。本発明は他に，当該光記録担体上に光学的に読取り可能な効果を記録及び/又は再生する方法にも関する。
【背景技術】
【０００２】
情報格納容量を増加させるという要求を満たすために，利用可能な光学媒体，即ちコンパクトディスク（CD），デジタル多用途ディスク（DVD）及びBlu-rayディスク（BD）は格納容量のコンスタントな改善を示している。これらの光学媒体において再生分解能は，再生照射の波長及び光学再生装置の開口数によってこれまで殆ど支配されてきた。しかしながら前記再生照射光の波長を短くすること，又は対応するレンズシステムの開口数を大きくすることは容易ではないので，記録密度を高める試みは記録媒体の改善及び/又は記録/再生方法の改善に際立って集中されてきた。
【０００３】
特に，情報を記録するのに適する光学媒体に対して，二つの異なるアプローチが提案されてきた。一つはランド‐グルーブ・フォーマットで情報はトラックの溝（グルーブ）と当該溝の隣接部分（ランド）との両方に記録される。もう一つは，例えばBDディスク・フォーマットのようなグルーブのみのフォーマットで，情報はグルーブ中にのみ記録される。特に半径方向トラッキング及びトラック間/シンボル間の交差-書込み/交差-消去問題に関して，これらのフォーマットの両方が長所と短所とをもつ。
【０００４】
現在，チャネルビット長50nmをトラックピッチ240nmと組み合わせることによって到達する密度の限界は，前記BD型ディスクの容量では可能性としては現在の，媒体の情報層当り23-25-27GBから50GB迄増やせることを示している。しかしながら，現在の技術のディスクでは，トラックピッチの更なる狭小化対安定した半径方向のトラッキングの必要性との間の先天的な矛盾，及び有限な交差-書込み/交差-消去の問題につきあたってしまう。特に，安定な半径方向トラッキングに対するランド‐グルーブ・フォーマットの長所と，有限な交差-書込み/交差-消去問題に対するグルーブのみのフォーマットの長所との両方をもつ光学データの格納方法が故に望まれる。
【発明の開示】
【発明が解決しようとする課題】
【０００５】
近年，2次元のオプティカルストレージ（TwoDOS）が実証されてきている。例えばAlexander van der Lee等による応用物理学会誌日本版vol. 43, No 7B, 2004, p.4912-4914を参照。TwoDOSフォーマットにおいては，光担体上の幅広の螺旋に沿った平行した幾つかのデータ列として情報は書込まれ，当該データはレーザスポットのアレイを使って前記螺旋から平行して読出される。しかしながら，各々のレーザスポットが独立して制御されねばならず，従って複数のレーザ又はレーザキャビティを必要とするので追記型及び書換え型の媒体に対しては，上記は便利ではない。これは対応する光学装置を複雑にするであろうし，同装置のコストを増すことであろう。同様に，レーザの数，又はレーザのキャビティ数に比例して斯様な光学装置の熱放射が増大する。
【０００６】
ゆえに，改善された光学データの格納方法が有利であると思われ，特に，光記録担体上に光学的に読取り可能な効果を記録/再生するためのより効率の良い及び/又はより信頼性の高い光学システムが有利であろう。
【０００７】
従って，一つ以上の上述の短所を，単独で又は何らかの組合せで軽減，緩和，又は取り除くことを本発明は好ましくは求めている。特に，光記録担体上に光学的に読取り可能な効果を信頼性良く記録，及び/又は再生することと，当該光記録担体の増加した格納容量との両方を持ってして従来技術の上記の問題を解決する光学システムを提供することが本発明の目的として理解されよう。
【課題を解決するための手段】
【０００８】
本発明の第1の態様中で，光記録担体上に光学的に読取り可能な効果を記録及び/又は再生する光学システムを提供することにより，この目的及び幾つかの他の目的は達成され，当該システムは， 
‐  光記録担体中で読取り可能な効果として情報を読取るため，及び/又は同光記録担体上に読取り可能な効果として情報を記録するための主ビーム及びこれに対応する主スポットと，
半径方向トラッキングに使用可能な，第1の補助ビームと第2の補助ビームとを有する少なくとも二つの補助ビーム及びこれに対応する補助スポットとを照射できる可動型の光照射装置，及び
‐  前記光記録担体から反射された照射を検知することができる光検知手段を有し，
当該光記録担体は一つ以上の螺旋のトラック中に読取り可能な効果を有するか，又は同光記録担体は前記効果を記録するのに適していて，前記一つ以上の螺旋はガードバンドによって区切られており，
当該光学システムは補助スポットから反射された照射からトラッキングを行うのに適しており，この補助スポットは主スポットに対して非対称に配置されている。
【０００９】
短いトラックピッチ，即ち短いトラック幅をもつ光記録担体上の情報を記録/再生することができる光学システムを容易に実現するためには，第1の態様に従った本発明は特に有利ではあるが排他的に有利であることはない。本発明による半径方向トラッキングはガードバンドで行われるので，より短いトラックピッチが半径方向トラッキングを危険に晒すことはない。1本の螺旋トラックフォーマットを持つ一般に使われている単独のオプティカルストレージシステムは，グルーブによって提供される半径方向のトラッキングと，トラックピッチを最小にしたいという望みとの間で先天的に矛盾している。主ビームが光記録担体上の所与のトラック中の読取り可能な効果としての情報を読取り及び/又は主ビームが光記録担体上の所与のトラック中に読取り可能な効果としての情報を記録する間に補助ビームはトラッキングを行うので，主スポットに対して非対称に配置されている補助スポットから反射された照射光からのトラッキングによる本光学システムにより，この矛盾は解決されている。光照射装置を可動させることによって，少なくとも主スポット及び補助スポットの幾つかの大きな半径方向の変位が，主スポット及び補助スポットの他のより小さな半径方向の変位に変換される。これゆえ，補助スポットの位置を制御することによって，主スポットの位置が大変厳密に制御される。主スポット及び補助スポットの位置は，例えば螺旋中の所与のトラック数とか，所与のトラックピッチ等々，所与の光記録担体に対して決められる。主ビームの光強度は大変大きいので読取り可能な効果の記録は記録モードにて行われ，他方，補助ビームの強度は大変小さいので補助スポット下に位置する光記録担体の当該部分は，この光学システムの記録モード又は再生モードのいずれにおいても補助スポットからの影響を受けることは無い。
【００１０】
前記光照射装置の可動は回転，捻り，曲げ等のような動きでもよく，従ってトラック方向に対する補助スポットの半径方向の配置が変化出来る。
【００１１】
補助スポットに対して主スポットを非対称に供するというコストに効果のある態様を促進するので，請求項2に規定された追加の特徴は好都合である。主スポットは補助スポットの間に置かれるか，又は補助スポットの一方の側に配置されてもよい。
【００１２】
所与のガードバンド中に位置する第1の補助スポットに対して，異なるガードバンド中の第2の補助スポットの位置によって所与の螺旋内の所与のトラック上の主スポットの位置が高精度で制御されるのを前記光照射装置の角位置の小さな変化は促進するので，請求項3に規定された任意の特徴は好都合である。前記角位置の変化は，前記光照射装置の回転によって得られよう。
【００１３】
補助スポットと主スポットとの間の分離距離を制御することにより，螺旋のピッチがトラックピッチの整数倍である状況，及び螺旋のピッチがトラックピッチの整数倍ではない状況の両方に対して高い選択性を持つシステムが提供されるので，請求項4及び5に規定された任意の特徴は好都合である。
【００１４】
主スポットの位置が所与のトラックに追随するよう保たれるので，請求項6に規定された任意の特徴は好都合である。半径方向トラッキングは，第1の補助ビームが第1のガードバンド中に位置し，第2の補助ビームが第2のガードバンド中に位置している第1及び第2の補助ビームの反射された照射光を検知することによって得られる。プッシュプル（PP）法及び位相差検知（DPD）法等々のような技術を用いて，光学システムは半径方向トラッキングを行うことができる。
【００１５】
第2の態様において，本発明の第1の態様に従った光学システムを動作させるための方法に，本発明は関する。使用状況では，前記トラッキングは補助スポットから反射された照射により行われ，当該補助スポットは主スポットに対して非対称に配置されている。
【００１６】
第3の態様において，データ格納手段を持つ，少なくとも一つのコンピュータを有するコンピュータシステムが，本発明の第2の態様に従った光学システムを制御することを可能にするコンピュータプログラムに，本発明は関する。
【００１７】
本発明の第2の態様の動作をコンピュータシステムにさせることが出来るコンピュータプログラムによって本発明が実行されるという本発明のこの態様は，特に有利ではあるが排他的に有利であることはない。従って，当該光学システムを制御しているコンピュータシステムにコンピュータプログラムを組込むことによって，本発明に従って動作するよういくつかの既知の光学システムが変更されることが期待される。例えば磁気媒体若しくは光学媒体，又はインターネットのようなコンピュータベースのネットワークを通じ，どのような種類のコンピュータで読取り可能な媒体でも，斯様なコンピュータプログラムは提供されることができる。
【００１８】
本発明の第1，第2及び第3の態様は，各々いかなる他の態様とも組合わせることが出来る。本発明のこれらの及び他の態様は，これ以降に記述されている実施例を参照して明らかにされ，説明されよう。
【００１９】
本発明の実施例は，添付の図面を参照して，例のみにて説明されよう。
【発明を実施するための最良の形態】
【００２０】
光学システム及び光記録担体100の実施例が図1に概観的に例示されている。保持手段30によってこの光記録担体100は固定され，回転させられる。
【００２１】
照射ビーム52によって情報を記録するのに適する材料を，前記光記録担体100は有する。この記録材料は，例えば光‐磁気タイプ，相変化タイプ，色素タイプ，Cu/Siのような金属合金，又はいかなる他の適切な材料であってもよい。情報は読取り可能な効果，即ち光学的に検知できる領域又は書換形媒体ではマークと呼ばれ，追記型媒体ではピットとも呼ばれる形で前記光記録担体100上に記録されるであろう。
【００２２】
この装置は，光ピックアップ（OPU）と呼ばれる光学ヘッド20を有し，この光学ヘッド20は，例えばステップモータのような可動手段21によって位置を変えることができる。この光学ヘッド20は，光検知システム101と，レーザのような照射源4と，ビームスプリッタ6と，対物レンズ7と，レンズ可動手段9とを有する。この光学ヘッド20はまた，照射ビーム52を少なくとも三つの部分52，52a，52b，即ち高強度の主ビームと二つの低強度の補助ビームとに分割することが出来るホログラムパターン又は回折格子のような光ビーム分割手段22を有する。同ビーム分割手段は可動型のビーム分割手段であって，例えば回転，捻り，曲げ等が可能であり，トラック方向に対して補助スポットの半径方向の位置が変化可能である。補助ビーム52a及び52bは，主ビーム52の同じ側（ここで図示されている）又は異なる側（図示されず）のいずれかにある異なる次数の回折ビームである。説明を明確にするために，照射ビーム52，52a，52bは前記ビーム分割手段6を通過したあとは3本の単一ビームとして示されているが，しかし例えばビーム分割手段22が回折格子である場合は，より多くの補助ビームが存在することであろう。同様に，反射された照射光8もまた一つ以上の成分，例えば三つのスポット52，52a，52bの反射，及びこれらの回折を有するが， 1本のビーム8のみが簡潔化のためにここでは示されている。
【００２３】
本実施例においては，ビーム分割手段（又は回折格子）と組合された照射源が光照射装置を構成している。これは，当該光照射装置を設計する際のコスト削減に有効な態様である。しかしながら，異なる強度でレーザを照射することが出来る，1列に並んだレーザダイオード・アレイのような等価な手段が想定されるであろう。前記ビーム分割手段（又は回折格子）を動かす代わりに，このアレイが動かされることが望ましい。
【００２４】
光検知システム101の役割は，光記録担体100から反射された照射光8を電気信号に変換することである。従って，この光検知システム101は，プリプロセッサ11へ送られる一つ以上の電気出力信号を発生することが可能な一つ以上の光検知器を有するであろう。この光検知器はお互いに空間的に配置され，プリプロセッサ11中でフォーカスエラー（FE）及び半径方向のトラッキングエラー（RTE）を検知できるよう十分な時間分解能を持って配置されよう。このようにプリプロセッサ11は，フォーカスエラー（FE）信号及び半径方向のトラッキングエラー（RTE）信号をプロセッサ50へと送る。このプロセッサ50は，可動手段21，照射源4，レンズ可動手段9，プリプロセッサ11及び保持手段30への制御信号も出力することが出来る。同様にこのプロセッサ50は，61で示されたデータを外部から受け取ることが出来，そしてプロセッサ50は，60で示された読取りプロセスからのデータを外部へ出力できる。
【００２５】
光検知システム101は，光記録担体100から読取られた情報を表す読取り信号又はRF信号を，プリプロセッサ11を通じてプロセッサ50へ送ることも出来る。プロセッサ50中でRF信号を低域通過フィルタに通すことにより，この読取り信号は中央開口（CA）信号に変換される。
【００２６】
フォトダイオード，CCD等の光検知素子を保持している光検知器は，プッシュプル（PP）法によるトラッキングを行うために二つの光検知素子を有していて，所望の半径方向の位置と実際の位置とからのエラー又は偏差を示す半径方向のエラー信号を発生するために，相対的な重み付けがこの二つの検知素子の間でされている。しかしながらこの光検知器は位相差検知（DPD）法に対しても適応することができ，従って当該部分は四つの光検知素子を有することも出来る。しかしながら斯様な実施例では，データがガードバンドにも提供されることを要する。同様に，この光検知器は，一対の補助スポットからの低域通過フィルタされた信号による半径方向のトラッキング用の1個の光検知素子から構成されることが出来る。
【００２７】
図2及び図3には二つの特定の光記録担体のフォーマットが例示されている。これらのフォーマットは，本発明による光学システムと組合わせて使うのに良く適している。しかしながら本発明の原理はこれら二つのフォーマットに限定されるものではないことが強調されよう。
【００２８】
図2は第1の光記録担体のフォーマットの概観図である。このフォーマットにおいては，複数のトラック2が実質的に螺旋状に配置され，同光記録担体の中心位置3に対して実質的に同心円状に配置される。トラック2の各々は，実質的にグルーブ中に位置する（図示されず）光学的に読取り可能な効果を記録する及び/又は再生するようになっている。
【００２９】
複数のトラック2が，当該光記録担体上のマルチトラック1の螺旋に隣接して存在している。ガードバンド5は何等データを含んでいないという事実に起因するストレージ容量の減少，又は幅広の螺旋のグルーブ中のデータ密度よりもガードバンド5中のデータ密度の方がより低いという事実に起因するストレージ容量の減少と，半径方向サーボシステムの複雑さとの間の妥協によって，幅広の螺旋1内のトラック2の本数は決定される。図2中のトラックの数は8本であるが，いかなる適切な数，特に2，3，4，5，6，7，8，9，10，11，12，13，14，15，16，17，18，19及び20も想定することが出来る。前記マルチトラックの螺旋1の巻きの間に在るトラッキング領域（ガードバンド）5が，光記録担体100からの半径方向トラッキングエラーを提供する。
【００３０】
図3は，第2の光記録担体のフォーマットの概観図である。このフォーマットにおいては，複数のトラック12が実質的に螺旋状に配置され，同光記録担体の中心位置13に対して実質的に同心円状に配置される。トラック12の各々は，実質的にグルーブ中に位置する（図示されず）光学的に読取り可能な効果を記録する及び/又は再生するようになっている。各層の一本の螺旋が玉ねぎの構造をもつ複数の螺旋10が，光記録担体上の同心円状に連続した層12に在る。図3においては，丁度三つの連続した螺旋12が明確にするために示されているが，実際の光記録担体では螺旋12の数，又は「たまねぎの皮」の数は2と1,000,000との間で変わることであろう。前記螺旋12の間に在るトラッキング領域（ガードバンド）15が，光記録担体からの半径方向のトラッキングエラーを提供する。
【００３１】
前記マルチ螺旋1のトラック内，又は連続螺旋12のトラック内で，トラッキングには適切ではない殆どゼロのプッシュプル信号又は一般的に言えば，半径方向のトラッキングエラー信号が得られることであろう。しかしながらガードバンドにおいては，より大きなトラック空間が同バンドにあるため，グルーブ構造は著しく低い周波数成分をもち，補助スポットからのプッシュプルトラッキング信号は強く，同信号はガードバンド5，15の中央辺りで「S 字曲線」のような明確な半径方向トラッキングエラー信号を提供する。この結果，補助スポット52a，又は52bは，得られた半径方向トラッキング信号からガードバンド5及び15の中央を信頼性良くトラック出来る。
【００３２】
Blu-rayの光学系では，160-200nmまでのガードバンドの幅が許容されることが出来る。螺旋中のトラックピッチは，半径方向トラッキングシステムに関して任意に選ぶことが可能である。書換形及び追記型のシステムにおいては，トラックをまたがった交差-書込み/交差-消去の効果を避けるために当該トラックピッチは十分に大きく選ぶのが望ましく，再生専用システムにおいては，ディスクの効率的なマスタリングを促進するためにトラックピッチは十分に大きいことが望ましい。
【００３３】
グルーブ幅とランドの幅の間（又は厳密な定義によっては逆の場合あり）の比であるデューテイサイクルが50%の状況では，ガードバンドの幅はトラックピッチの実質的には1.5倍に等しいことがある。光学システムと光記録担体フォーマット1及び10とがガードバンドに関して適している斯様な対称な配置では，トラックピッチ及びスポット52，52a，52bの半径方向への分離は本発明に関連して特別な長所を提供する。
【００３４】
光記録担体上の主スポットに対して非対称に置かれた補助スポットから反射された照射光によりトラッキングが行われる光照射装置の実施例を図4は例示する。
【００３５】
この光照射装置は，レーザのような照射源4及び回折格子22を有する。この回折格子は，一本のレーザビームを複数の角度的に分離したビームに分割する。当該ビームは高強度の0次のビーム400と，沢山の低強度の高次の補助ビーム（401a，401b，402a，402b）とに分割される。幾つかの高い次数の光（例えばガードバンド間に八つのトラックのあるディスクフォーマットでは1次及び8次）を除き，トラッキング信号の発生のためには十分な強度である非常に低い光強度にすべての高い次数の光がなるよう，この回折格子は設計されている。図4の例では5本のビームが生成されている。即ち，主の0次ビーム，二つの1次の補助ビーム，及び前記主ビームに関して対称に配置された二つの8次ビームである。トラッキング動作を実行するためには，主ビームに関してそれぞれ反対側に位置するか（404），又は主ビームに関して同じ側に位置する（403）8次のビームの1本と共に1次の補助ビームの1本が用いられる。従って，たとえ補助スポットが対称に配置されているとしても，異なる次数の補助スポットを選択することが出来，主スポットに関して非対称に配置された補助スポットから反射された照射光によってトラッキングが実行される。他の二つの補助ビームは，トラッキングに関与していないので単に無視される。
【００３６】
簡単な回折格子の設計と単純な製造とが実現されるので，この事例ではより低い次数の光が必要とされる主ビームの異なる側に補助ビームを持つことが通常は好ましい。ガードバンド間に8本のトラックをもつディスクフォーマットの同様の事例では，補助ビームが主ビームに対して同じ側に位置する場合，1次及び10次のオーダーのビームが必要とされることに注意する。
【００３７】
図5a，5b及び5cは，光記録担体の小さく切抜かれた区画を例示している。螺旋508中の異なるトラック位置503，504，509に主スポット500は導かれ，これに対応する補助スポット501及び502はガードバンドに配置されている。図5Aにおいて補助スポットは，隣接するガードバンド505，506に位置しており，図5Bにおいて，当該補助スポットは，1本のガードバンド分だけ分離されている二つのガードバンド505，507に位置している。一方図5Cにおいて当該補助スポットは，やはり隣接するガードバンド506及び507に位置しているが，しかし当該補助スポットは主スポットに対して同じ側にある。螺旋内のトラックのピッチよりも12倍大きな螺旋のピッチの増加を与えている11個のトラックが在る（この事例では各11個の通常のトラックの書込み後に，通常の幅の何もデータのない「空の」トラックを書込むことによりガードバンドは作られる）。
【００３８】
二つの補助スポットが主スポットに対して異なる側に置かれている図5A及び図5Bの状況においては，主スポット及び二つの補助スポットは，適切な回折率の回折格子を使うことにより補助スポット501と補助スポット502との間の距離が，主スポットと補助スポット501との間の距離よりも12倍大きくなるよう作られている。この事例において，図5A で示されているように，二つの補助スポットが隣接するガードバンド上にある場合は，主ビームは同螺旋内のトラック#1，503上に正確に位置している。二つの補助スポットが主スポットの同じ側に位置している，図5Cに示される状況においては，主スポットと二つの補助スポットとは，主スポット500と補助スポット501との間の距離が，二つの補助スポット501と502との間の距離よりも12倍大きくなるよう生成される。
【００３９】
図5A 及び図5Bは，主スポットが異なるトラックに位置している状況を例示している。
【００４０】
主スポットをトラック#2，504上へ位置させるためには，図5A に例示されているように補助スポット501が同一のガードバンド上に保持されている間，補助スポット502は図5Bに示されているように上方の次のガードバンド507へ移動，又は配置される。これは例えば光ピックアップ中の回折格子を回転させることにより達成される。二つの補助スポット間の距離が螺旋のピッチよりも著しく大きい場合，即ちトラック方向に対する補助スポットを結んだ線の回折格子の傾き角αがSin（α）＝αなる近似が成立するくらいに十分に小さい場合，主スポットは螺旋内のトラック#2上に位置するであろう。実際に使われている光記録担体/光学システムのジオメトリでは，上記の小さい角の要件は通常は満たされている。
【００４１】
補助スポットを異なるガードバンドへ移動させるための回折格子の回転，又は他の等価な手段は，光検知器上に反射されたスポットもまた当該光検知器上で僅かに移動されるようにする。これはトラッキング信号の僅かなオフセットになる。このオフセットの在る状況は，「現状として」是認されるか，又は当該移動量が訂正されるかのどちらかであろう。訂正の選択肢の1つは，回折格子の回転に合わせて当該光検知器を回転させることである。他の選択肢は，電気的なオフセット補償を用いることであり，当該オフセットレベルが当該回折格子の角度の関数として測定され，その後トラッキングの間，信号から減算される。
【００４２】
前記補助スポット501に対して前記補助スポット502を更に上方へ移動させる（図示されず）ことにより，主スポットを幅広の螺旋内のいかなる所与のトラック上にも位置させることが出来る。
【００４３】
二つの補助スポットが主スポットに対して異なる側に位置する図5A及び図5Bに示される状況においては，主スポットと補助スポット501との間の分離距離にまたがるトラックの本数の整数倍に実質的に等しい主スポットと補助スポット502との間の距離をもつことにより，あるトラック上の主スポットの位置決めに関してより良い選択肢が得られる。例えば，主スポットと補助スポット502との間の距離は，主スポットと補助スポット501との間の距離よりもN*11倍大きくすることが出来る（Nは整数）。この主スポットを1トラックだけ上方へ移動させるには，補助スポット502がN個のガードバンド分だけ上へ動かされることが望ましい。螺旋のピッチが幅広の螺旋内のトラックピッチの整数倍ではない場合は，より高度な選択肢をもつ斯様なシステムもまた適用されることが出来る。
【００４４】
二つの補助スポットが主スポットと同じ側に位置している図5Cに示される状況においては，あるトラック上に主スポットの位置を決めることについてのより良い選択肢さえ同様の手段によって得られる。この状況では，補助スポット501と補助スポット502との間の距離が主スポットと補助スポット501との間の分離距離にまたがるトラック本数の整数倍に実質的に等しいことが望ましい。
【００４５】
ディスクのジオメトリの詳細は知られているので，補助スポットの移動に対応した主スポットの位置は予め決められることが出来る。異なる競合するフォーマットが存在する状況においては，システムは所与のフォーマットを認知し，この特定のフォーマットに従って補助スポットを移動させる。
【００４６】
所与の実施例において，複数の補助スポットの独立した動きは，当該補助スポットに対する二つの独立したトラッキングシステムと組合せた可動型の回折格子によって得られる。第1の補助スポットの半径方向の位置決めは，通常の1個のスポットの光学系におけるのと同様の手段（ピックアップヘッド及び/又は対物レンズを動かすことによる）によって得られ，この第1の補助スポットを，選択したガードバンド上に保持したまま回折格子を回転させることによって第2の補助スポットの半径方向の位置決めを行うことができる。
【００４７】
使用の際は，第1の補助スポットを特定のガードバンド上に位置させることにより所望の螺旋が選択され，第1の補助スポットに対して一定数のガードバンド分だけ離れたガードバンドに第2の補助スポットを位置させることによって，この螺旋内の所望のトラックが選択される。
【００４８】
本発明は特定の実施例に関連させて記述されてきたが，これはここで述べた特定の形に限定することを意図しているわけではない。むしろ，本発明の範囲は添付の請求項によってのみ限定される。請求項中においては，有するという言葉は他の要素，又はステップの存在を排除するものではない。加えて，各々の特徴が，複数の異なる請求項に含まれるかもしれないが，これらは都合良く組み合わせることができ，異なる請求項中に含まれるということは，各特徴の組合わせは実現可能ではない，及び/又は好適ではないと意味してはいない。加えるに，単数の引用は複数を排除するものではない。従って，「a」，「an」，「第1の」，「第2の」等々の引用は複数を除外するものではない。更に請求項中の参照記号は範囲を限定するものとして解釈されるべきではない。
【図面の簡単な説明】
【００４９】
【図１】光学システム及び付随する光記録担体の実施例を概観的に例示する。
【図２】本発明に従う光学システムの動作に特に適する第1の光記録担体のフォーマットを概観的に例示する。
【図３】本発明に従う光学システムの動作に特に適する第2の光記録担体のフォーマットを概観的に例示する。
【図４】非対称に配置された補助スポットから反射された照射によってトラッキングが行われる，光照射装置の実施例を概観的に例示する。
【図５Ａ】光記録担体の小さな切抜き部分での，本発明の実施例の動作原理を概観的に例示する。
【図５Ｂ】光記録担体の小さな切抜き部分での，本発明の実施例の動作原理を概観的に例示する。
【図５Ｃ】光記録担体の小さな切抜き部分での，本発明の実施例の動作原理を概観的に例示する。
【図１】
2008542961.tif 000003
【図２】
2008542961.tif 000004
【図３】
2008542961.tif 000005
【図４】
2008542961.tif 000006
【図５Ａ】
2008542961.tif 000007
【図５Ｂ】
2008542961.tif 000008
【図５Ｃ】
2008542961.tif 000009
【国際調査報告】
2008542961.tif 000010
2008542961.tif 000011
2008542961.tif 000012